(57)【要約】【課題】サウナ用蒸気発生装置のコストを低くすることができるようにする。【解決手段】水を収容するタンク部１３、及び該タンク部１３からの水を受けて蒸気を発生させる本体部１２を備えた蒸気発生部１１と、該蒸気発生部１１と連結され、浴室内に向けて延在させられ、浴槽内に蒸気を噴射するスチーム吐出装置とを有する。スチーム吐出装置が、蒸気発生部１１と連結され、浴室内に向けて延在させられ、浴槽内に蒸気を噴射するので、サウナ用蒸気発生装置を浴室に後付けする必要がなく、工事が不要になり、サウナ用蒸気発生装置のコストを低くすることができる。【選択図】図１
2007117288.tif 000002
【特許請求の範囲】
【請求項１】
（ａ）水を収容するタンク部、及び該タンク部からの水を受けて蒸気を発生させる本体部を備えた蒸気発生部と、
（ｂ）該蒸気発生部と連結され、浴室内に向けて延在させられ、浴槽内に蒸気を噴射するスチーム吐出装置とを有することを特徴とするサウナ用蒸気発生装置。
【請求項２】
前記スチーム吐出装置は、浴槽の蓋部材に着脱自在に取り付けられる取付部を備える請求項１に記載のサウナ用蒸気発生装置。
【請求項３】
前記スチーム吐出装置は、浴室外と浴室内との境界部位において挟持される被挟持部を備える請求項１に記載のサウナ用蒸気発生装置。
【発明の詳細な説明】
【技術分野】
【０００１】
本発明は、サウナ用蒸気発生装置に関するものである。
【背景技術】
【０００２】
従来、家庭の浴室に設置された浴槽を利用したスチームバスが提供されている。該スチームバスにおいては、浴室における浴槽に隣接させて蒸気発生装置が取り付けられ、該蒸気発生装置によって発生させられた蒸気が、蓋（ふた）によって密閉された浴槽内に供給されるようになっている（例えば、特許文献１参照。）。
【特許文献１】特開２００５−１１８２２８号公報
【発明の開示】
【発明が解決しようとする課題】
【０００３】
しかしながら、前記従来のスチームバスにおいては、浴槽に隣接させて蒸気発生装置が取り付けられるようになっているので、該蒸気発生装置を浴室に後付けしようとすると、工事が必要になり、コストが高くなってしまう。
【０００４】
本発明は、前記従来のスチームバスの問題点を解決して、コストを低くすることができるサウナ用蒸気発生装置を提供することを目的とする。
【課題を解決するための手段】
【０００５】
そのために、本発明のサウナ用蒸気発生装置においては、水を収容するタンク部、及び該タンク部からの水を受けて蒸気を発生させる本体部を備えた蒸気発生部と、該蒸気発生部と連結され、浴室内に向けて延在させられ、浴槽内に蒸気を噴射するスチーム吐出装置とを有する。
【０００６】
本発明の他のサウナ用蒸気発生装置においては、さらに、前記スチーム吐出装置は、浴槽の蓋部材に着脱自在に取り付けられる取付部を備える。
【０００７】
本発明の更に他のサウナ用蒸気発生装置においては、さらに、前記スチーム吐出装置は、浴室外と浴室内との境界部位において挟持される被挟持部を備える。
【発明の効果】
【０００８】
本発明によれば、サウナ用蒸気発生装置においては、水を収容するタンク部、及び該タンク部からの水を受けて蒸気を発生させる本体部を備えた蒸気発生部と、該蒸気発生部と連結され、浴室内に向けて延在させられ、浴槽内に蒸気を噴射するスチーム吐出装置とを有する。
【０００９】
この場合、スチーム吐出装置が、蒸気発生部と連結され、浴室内に向けて延在させられ、浴槽内に蒸気を噴射するので、サウナ用蒸気発生装置を浴室に後付けする必要がなく、工事が不要になり、サウナ用蒸気発生装置のコストを低くすることができる。
【発明を実施するための最良の形態】
【００１０】
以下、本発明の実施の形態について図面を参照しながら詳細に説明する。
【００１１】
図１は本発明の実施の形態におけるサウナ用蒸気発生装置の断面図、図２は本発明の実施の形態におけるサウナ用蒸気発生装置の正面図、図３は本発明の実施の形態におけるサウナ用蒸気発生装置の側面図、図４は本発明の実施の形態におけるスチーム吐出装置の断面図、図５は本発明の実施の形態におけるスチーム吐出装置の平面図、図６は本発明の実施の形態におけるスチーム吐出装置の正面図、図７は本発明の実施の形態におけるサウナ用蒸気発生装置の制御装置を示す図である。
【００１２】
図において、１１は蒸気発生部、１３は水を収容するタンク部、１２は該タンク部１３からの水を受けて蒸気を発生させる本体部、１４は該本体部１２の上面に、上方に向けて突出させて形成された取っ手、１５は前記タンク部１３に対して本体部１２を着脱自在に取り付けるためのクランプ部、１６は前記タンク部１３に対して本体部１２を係止させるための係止部、１８はスチーム吐出装置２１を連結するためのコネクタ、１９は蒸気排出口である。
【００１３】
前記蒸気発生部１１は、本体部１２及びタンク部１３から成り、前記本体部１２はタンク部１３に対して着脱自在に取り付けられ、前記係止部１６においてタンク部１３に対して本体部１２を係止させ、クランプ部１５をクランプさせることによって、タンク部１３に本体部１２を取り付けることができ、クランプ部１５のクランプを解除し、係止部１６の係止を解除することによって、タンク部１３から本体部１２を取り外すことができる。なお、前記本体部１２、タンク部１３、スチーム吐出装置２１等は樹脂によって形成される。
【００１４】
前記タンク部１３は、箱状の形状を有するタンク本体２２、及び該タンク本体２２の上端開口を覆う頂壁２４を備え、タンク本体２２内に水貯蔵室２３が形成され、該水貯蔵室２３に水が貯蔵される。また、前記頂壁２４の所定の箇所に開口２５が形成され、該開口２５にキャップ２６が着脱自在に取り付けられる。したがって、タンク部１３から本体部１２を取り外し、キャップ２６を取り外して、開口２５を介して水を水貯蔵室２３に供給することができる。
【００１５】
該水貯蔵室２３には、フロート装置２８が浮遊自在に配設され、該フロート装置２８の下端にフロート８２が、上端に磁石８３が配設される。該磁石８３は、水貯蔵室２３内に貯蔵された水の量を検出するための検出要素を構成する。
【００１６】
前記タンク本体２２に隣接させて、かつ、水貯蔵室２３と連通させて、水をろ過するための水処理装置３１が配設され、該水処理装置３１はイオン交換樹脂３２、及びフィルタ３３を備える。したがって、水貯蔵室２３内の水は、水処理装置３１に送られ、該水処理装置３１によってろ過された後、水処理装置３１の上端に形成された排出部３４を介して排出される。
【００１７】
また、前記本体部１２は、箱状の形状を有するケース３６、及び該ケース３６の上端開口を覆うトップカバー３７を備える。そして、前記ケース３６内に、電磁振動式のポンプ４３、スチームボイラ４４、前記蒸気排出口１９等が収容され、前記排出部３４とポンプ４３とが吸引用の接続部５１によって接続され、ポンプ４３とスチームボイラ４４とが吐出用の接続部５２によって接続される。したがって、ポンプ４３が稼働されると、水処理装置３１においてろ過された水が、排出部３４及び接続部５１を介して吸引され、接続部５２に吐出される。そして、前記スチームボイラ４４は、加熱部材としての図示されないヒータ（ニッケルクロム電熱線から成るシーズヒータ）を備え、接続部５２に吐出された水を受け、ヒータによって加熱し、蒸気を発生させ、蒸気排出口１９に送る。したがって、蒸気排出口１９はスチームボイラ４４から送られた蒸気を受けて、スチーム吐出装置２１に対して吐出する。なお、図７に示されるように、前記接続部５２に安全弁８４が配設され、接続部５２及びスチームボイラ４４内の圧力が閾（しきい）値より高くなると、安全弁８４が開放され、圧力が逃がされる。
【００１８】
また、前記トップカバー３７に、電源装置である図示されないＡＣ電源から電力の供給を受けるための絶縁性を有するコード（クロロスルホン化ポリエチレンゴム製の平形コード）４６、電源スイッチと調節摘（つま）みとを兼用したボリュームスイッチ４７、制御基板４８、リモコン８１の送信部としての発光部８５から送信された信号を受ける受信部としての受光部４９等が配設される。前記リモコン８１には、操作部８６が配設され、操作者は、操作部８６を操作することによって、ポンプ４３の稼働及び停止を行うことができる。また、操作部８６を操作することによって、電源スイッチをオン・オフさせたり、スチームボイラ４４によって発生させられる蒸気の温度、量等を制御したりすることもできる。前記制御基板４８に表示部（パイロットランプ）としてのＬＥＤ８８が配設される。ボリュームスイッチ４７は、トップカバー３７に対して回転自在に配設され、オフ位置から所定の角度だけ回転させると、電源スイッチがオンになり、その後、更に回転させると、ヒータによる加熱量を大きくすることができる。そのために、前記ボリュームスイッチ４７は、可変抵抗器を備える。
【００１９】
そして、前記スチーム吐出装置２１は、浴室外と浴室内との間に延在させられ、スチームボイラ４４によって発生させられた蒸気を浴室内に供給し、浴槽内に噴射する。そのために、前記スチーム吐出装置２１は、前記コネクタ１８と連結されるコネクタ５５、被挟持部としての偏平部５６、取付部としてのヘッド部５７、蒸気ノズル５８、コネクタ５５と偏平部５６とを接続する第１の管路６１、偏平部５６とヘッド部５７とを接続する第２の管路６２等を有する。
【００２０】
前記コネクタ５５には、前記蒸気排出口１９と連通させられる蒸気供給口６０が形成され、該蒸気供給口６０と蒸気ノズル５８とは、第１の管路６１、偏平部５６、第２の管路６２及びヘッド部５７を貫通して延びる蒸気通路６７によって連通させられる。前記第１、第２の管路６１、６２は可撓（とう）性を有する蛇腹によって形成されるので、コネクタ５５、偏平部５６及び蒸気ノズル５８を互いに任意の位置に置くことができる。
【００２１】
前記偏平部５６は、前記第１、第２の管路６１、６２と偏平部５６とを連結するための連結部７１、７２、及び偏平な形状を有する薄肉部７３を有する。該薄肉部７３は所定の長さにわたって形成される。
【００２２】
また、前記ヘッド部５７は、浴槽の蓋部材としての図示されないカバーにスチーム吐出装置２１を着脱自在に取り付けるための把持機構を有し、断面が半円形の形状を有し、内部に蒸気通路６７の曲折部を収容する膨出部７０、該膨出部７０の両側に張り出して形成されたプレート状の形状を有する第１の把持部としての上押え部６３、該上押え部６３と所定の距離をおいて、かつ、上押え部６３と平行に形成された第２の把持部としての下押え部６４、所定の深さを有し、前記上押え部６３と下押え部６４との間に形成される溝６５等を備える。
【００２３】
次に、サウナ用蒸気発生装置における電源系について説明する。
【００２４】
電源系は第１〜第３の回路部ｃｔ１〜ｃｔ３を備え、第１の回路部ｃｔ１に、ＡＣ電源と接続させて、第１の設定温度、本実施の形態においては、２１９〔℃〕で溶断するヒューズ９１が配設される。また、第２の回路部ｃｔ２に、ＡＣ電源と接続させて、前記ヒューズ９１、第２の設定温度、本実施の形態においては、１６０〔℃〕でオン・オフさせられるサーモスタット（バイメタル式温度調節器）９２及び図示されないヒータが配設される。そして、第３の回路部ｃｔ３に、ＡＣ電源と接続させて、ポンプ４３及びリードスイッチ９３が配設される。該リードスイッチ９３は、フロート装置２８が水に浮いて上方に位置し、磁石８３が頂壁２４に当接すると、オンになり、水がなくなり、フロート装置２８が下方に位置し、磁石８３が頂壁２４から離れると、オフになる。すなわち、リードスイッチ９３がオンになると、ポンプ４３が稼働され、リードスイッチ９３がオフになると、ポンプ４３が停止させられる。したがって、本体部１２がタンク部１３に対して取り付けられていない場合、サウナ用蒸気発生装置を運転することができない。
【００２５】
次に、前記構成のサウナ用蒸気発生装置の使用態様について説明する。
【００２６】
図８は本発明の実施の形態におけるスチーム吐出装置の取付状態を示す図、図９は本発明の実施の形態におけるスチーム吐出装置の配設状態を示す図である。
【００２７】
この場合、蒸気発生部１１（図１）にスチーム吐出装置２１（図４）を取り付けた状態で、蒸気発生部１１を浴室外に置き、スチーム吐出装置２１を浴室内に向けて延在させ、図８に示されるように、ヘッド部５７を浴槽９５の端部に置き、溝６５内にカバー９６の縁部を挿入する。これに伴って、上押え部６３及び下押え部６４によって、カバー９６が把持され、ヘッド部５７はカバー９６に取り付けられる。なお、カバー９６の縁部と浴槽９５の端部との間に細長い隙（すき）間が形成されるが、該隙間は、図示されない板状のシール部材によってシールされる。また、前記ヘッド部５７をカバー９６に取り付け、浴槽９５の端部にセットすることによって、蒸気ノズル５８はカバー９６に対して傾斜して延びる。したがって、蒸気ノズル５８から吐出された蒸気は、浴槽９５内の空間に均一に分布させられ、浴槽９５内に置かれた操作者の体に当たるようになる。
【００２８】
また、浴室外と浴室内との間にスチーム吐出装置２１が延在させられるが、偏平部５６を、薄肉部７３において、浴室外と浴室内との境界部位を構成する壁９７及び扉９８によって挟持すると、壁９７と扉９８との隙間を小さくすることができる。したがって、浴室内の蒸気が浴室外に逃げるのを防止することができる。
【００２９】
また、スチーム吐出装置２１が、蒸気発生部１１と連結され、浴室内に向けて延在させられ、浴槽９５内に蒸気を噴射するので、サウナ用蒸気発生装置を浴室に後付けする必要がなく、工事が不要になり、サウナ用蒸気発生装置のコストを低くすることができる。
【００３０】
なお、本発明は前記実施の形態に限定されるものではなく、本発明の趣旨に基づいて種々変形させることが可能であり、それらを本発明の範囲から排除するものではない。
【図面の簡単な説明】
【００３１】
【図１】本発明の実施の形態におけるサウナ用蒸気発生装置の断面図である。
【図２】本発明の実施の形態におけるサウナ用蒸気発生装置の正面図である。
【図３】本発明の実施の形態におけるサウナ用蒸気発生装置の側面図である。
【図４】本発明の実施の形態におけるスチーム吐出装置の断面図である。
【図５】本発明の実施の形態におけるスチーム吐出装置の平面図である。
【００３２】
【図６】本発明の実施の形態におけるスチーム吐出装置の正面図である。
【図７】本発明の実施の形態におけるサウナ用蒸気発生装置の制御装置を示す図である。
【図８】本発明の実施の形態におけるスチーム吐出装置の取付状態を示す図である。
【図９】本発明の実施の形態におけるスチーム吐出装置の配設状態を示す図である。
【符号の説明】
【００３３】
１１    蒸気発生部
１２    本体部
１３    タンク部
２１    スチーム吐出装置
５６    偏平部
５７    ヘッド部
９５    浴槽
【図１】
2007117288.tif 000003
【図２】
2007117288.tif 000004
【図３】
2007117288.tif 000005
【図４】
2007117288.tif 000006
【図５】
2007117288.tif 000007
【図６】
2007117288.tif 000008
【図７】
2007117288.tif 000009
【図８】
2007117288.tif 000010
【図９】
2007117288.tif 000011